(57)【要約】【課題】  従来の病棟施設は、患者のプライバシーが確保されない、閉鎖的で冷たい印象を受ける、迅速で適切な治療を受けられない等の課題がある。【解決手段】  本発明の病棟施設は、建物のフロアの中央部に仕切りで仕切られていないオープンスペースが設けられ、オープンスペースに病院のスタッフが待機可能な設備が設置され、オープンスペースはその外側の廊下に通じており、廊下の外側で建物の窓側に廊下と建物の外面に面して病室が設けられている。オープンスペースの外側で廊下よりも内側に診察、治療、相談、食事、衛生管理、入浴、会議等の各目的に応じた設備室を廊下に面して設けることができる。前記廊下をオープンスペースの外側で建物の窓側に二本設け、前記設備室をオープンスペースの左右両側で廊下よりも内側に廊下に面して設けることもできる。前記病室を個室とすることもできる。【選択図】図１
2006283532.tif 000002
【特許請求の範囲】
【請求項１】
建物のフロアの中央部に仕切りで仕切られていないオープンスペースが設けられ、オープンスペースに病院のスタッフが待機可能な設備が設置され、オープンスペースはその外側の廊下に通じており、廊下の外側で建物の窓側に廊下と建物の外面に面して病室が設けられたことを特徴とする病棟施設。
【請求項２】
請求項１記載の病棟施設において、オープンスペースの外側で廊下よりも内側に廊下に面して設備室が設けられたことを特徴とする病棟施設。
【請求項３】
請求項１又は請求項２記載の病棟施設において、廊下がオープンスペースの外側で建物の窓側に二本設けられ、オープンスペースの左右両側で廊下よりも内側に設備室が廊下に面して設けられたことを特徴とする病棟施設。
【請求項４】
請求項１乃至請求項３のいずれかに記載の病棟施設において、病室が個室であることを特徴とする病棟施設。
【発明の詳細な説明】
【技術分野】
【０００１】
本発明は病院の医師、看護師、作業療法士、事務クラーク、心理士といった病院のスタッフと患者がコミニュケーションを取り易い構造の病棟施設に関するものである。
【背景技術】
【０００２】
従来の病院の組織は各種職種ごとに診療課、看護課、事務課、リハビリ課、放射線課といった課が構成され、夫々の課毎に病棟内の仕切られた部屋が設けられ、その夫々の課の部屋毎に医師、看護師、作業療法士、事務クラーク、心理士等の専門スタッフが待機している。
【０００３】
従来の病棟施設の病室は窓側と廊下の内側とに平行に配置された平行配置型が多く、その場合、廊下側の病室には窓がなく窓側の病室に比べて閉塞感があるため、廊下側の病室は窓側の病室に比して空きが生じ易いとか、窓側と廊下側のベッドが廊下を挟んで対向しているため互いに室内が見えてしまい、プライバシーの確保に難点があった。近年、これら課題を解決した種々の病棟施設が開発され、特許出願されている（特許文献１、２参照。）。
【０００４】
【特許文献１】特開平６−３２３０１７号公報。
【特許文献２】特開平１０−１６９２２２号公報。
【発明の開示】
【発明が解決しようとする課題】
【０００５】
従来の病棟施設は次のような課題がある。
（１）病院のスタッフにとっては便利であるが、患者の立場からは、各部屋が仕切られているため閉鎖的であり、患者が気軽に相談や連絡等をしにくい。
（２）夫々の部屋には個別の専門スタッフしか待機していないため、数種の相談がある場合、一箇所の相談では解消されず、他の専門事項については別のスタッフの居る部屋を訪ねなければ相談できず、その間、患者の不安は解消されず、患者にとっては不便である。
（３）病院のスタッフと患者との触れ合いが少なくなりがちであり、コミニュケーション不足となって精神的ケアが不十分になり、スタッフが患者の病状や悩み等を十分に理解できず、医療の根幹となるいたわりの精神が不足し、患者が安心出来る医療を提供できにくい。
（４）専門スタッフが各課毎に各部屋に待機しているので、各職種の専門スタッフ間で患者についての情報交換が不足しがちになり、患者の病状把握、治療の進行度、今後の治療方針等に関する理解度にバラツキが生じ易く、総合サービスを迅速に提供しにくい。
【課題を解決するための手段】
【０００６】
本発明は、上記課題を解決し、患者と専門スタッフとがコミニュケーションし易く、専門スタッフ同士の意思疎通がスムースで、より良い総合医療を提供することができる病棟施設を提供するものである。
【０００７】
本発明の病棟施設は、建物のフロアの中央部に仕切りで仕切られていないオープンスペースが設けられ、オープンスペースに病院のスタッフが待機可能な設備が設置され、オープンスペースはその外側の廊下に通じており、廊下の外側で建物の窓側に廊下と建物の外面に面して病室が設けられている。オープンスペースの外側で廊下よりも内側に診察、治療、相談、食事、衛生管理、入浴、会議等の各目的に応じた設備室を廊下に面して設けることができる。前記廊下をオープンスペースの外側で建物の窓側に二本設け、前記設備室をオープンスペースの左右両側で廊下よりも内側に廊下に面して設けることもできる。前記病室を個室とすることもできる。
【発明の効果】
【０００８】
本件出願の病棟施設は、オープンスペースが仕切り壁で仕切られておらず、そこに各職種の専門スタッフが常時待機しているので次のような効果がある。
（１）各職種の専門スタッフが廊下と繋がっているオープンスペースに待機しているため、患者は２４時間いつでも専門スタッフに相談することができ、各種症状の患者に対応でき、患者にとって安心できる。又、患者がスタッフと顔なじみになり易いため、患者に安心感が生まれ、家族にとっても安心である。
（２）仕切りが無いだけでも患者が専門スタッフに気軽に相談できる雰囲気ができ、患者の不安が解消され、精神療法になる。
（３）病院には良い医療と良い環境が必要である。また、人間の豊かな生活には豊かなアメニティーが必要であり、傷ついた人、心の悩みを持った人にはより豊かなアメニティーが必要である。本発明はオープンスペースに仕切りが無く、オープンで、明るく、開放的であるため、オープンスペースがぬくもりの感じられる心地よい空間となり、フロア全体も明るい雰囲気になるため、患者にとって良い環境、豊かなアメニティーとなり、患者に満足度を提供でき、医療技術と共に精神療法の提供になる。
（４）患者と専門スタッフとのコミニュケーションがスムースになり、患者の心の痛みを日頃から感じることができ、専門スタッフには医療の根幹であるいたわりの気持ちが育ち易く、患者が真に安心出来る医療を提供することができ、患者が安心して入院生活を送ることができる。
（５）各職種の専門スタッフが一つのオープンスペースに待機しているため、一つのオープンスペース内で種々の相談をすることができ、患者の不安が早期に解消され、患者の症状に迅速、適切な対応ができる。また、オープンスペースに待機している多くの専門スタッフで治療チームを組織することができるため、治療チームを拡大することができ、患者の満足感を生み出し、早期快復に貢献できる。
（６）各職種のスタッフ間で患者の情報を交換し易く、患者の情報を多くのスタッフが共有することができ、スタッフの意思統一が容易であり、多くのスタッフが共通認識の下に質の高い総合医療を提供することができる。
（７）患者と専門スタッフが一対一で接する機会が多くなり、専門スタッフは患者一人一人の希望、症状、症状の変化等を迅速且つ的確に理解することができるため、患者個々人の症状に合った質の高い医療サービスを提供することができる。また、専門スタッフは患者の満足を明確に感じ取ることが出来るため、仕事にやりがいを感じるようにもなる。
（８）オープンスペース内の専門スタッフは常に患者に見られる状態にあるため、普段から緊張感を保持することができ、自ずとテキパキきした機敏な行動になり易く、緊急時にも適切な医療サービスを提供することができ、スタッフの質も向上する。
（９）本発明の病棟施設を精神科病棟に利用すれば、これまでの暗い、閉鎖的な精神科病棟のイメージを一新することができる。
（１０）オープンスペースが建物のフロアの中央部にあるため、その外側の病室、設備室に行き来し易く、機動性に優れ、緊急患者への迅速な対応が可能となる。
（１１）病室が廊下の外側で建物の窓側に設けられているため、太陽光が差し込み、室内が明るく、暖かいため快適である。
（１２）病室も設備室も廊下に面して配置されているので、患者も専門スタッフも動き易く、機動性に優れる。
【０００９】
本件出願の請求項２の病棟施設は、オープンスペースの外側に診察、治療、相談、食事、衛生管理、入浴、会議等の各種目的に応じた設備室を設けたので、上記各効果に加えて次のような効果がある。
（１）オープンスペースの周囲に各種設備室があるため、専門スタッフがそれら設備を利用し易くなり、迅速、的確な利用が可能となる。
（２）課別の部屋を設けないため病棟内のフロアの治療空間を拡大でき、専門スタッフにゆとりをもたらすことができる。
【００１０】
本件出願の請求項３の病棟施設は、廊下がオープンスペースの外側で建物の窓側に二本設けられ、オープンスペースの左右両側で廊下よりも内側に設備室が廊下に面して設けられたため、上記の各種効果に加えて次のような効果がある。
（１）患者が病棟内を自由に移動することができ、病棟内でリラックスすることができ、早期快復に資する。
（２）スタッフが各設備室に移動し易くなり、迅速に医療サービスを提供することができる。
【００１１】
本件出願の請求項４の病棟施設は、病室が個室であるため、上記の各種効果に加えて次のような効果がある。
（１）患者のプライバシーが確保される。
（２）ドアを閉めれば他人の目を意識する必要が無いため、病室内で治療を受ける際に患者のプライドや人権が傷つけられることもなく、患者は安心して入院生活を送ることができ、精神的に安心感とゆとりができ、精神療法の面からも好ましく、患者の早期快復に役立つ。
（３）人間関係に不得手な患者でも受け入れ易く、入院した患者も他人に気兼ねすることも無く、精神的に安定する。
（４）入院生活中にスタッフに頼りきりになることなく、個室内で何事も自分で行なう自立した生活ができるため社会復帰までに要するリハビリ期間も短くなる。
【発明を実施するための最良の形態】
【００１２】
（実施形態１）
本発明の病棟施設の実施形態の一例を図１〜図４に基づいて説明する。本実施形態の病棟施設は図１に示すように、建物１のフロアの中央部分にオープンスペース２が設けられている。オープンスペース２は仕切りで仕切られること無く四方が開放されて、文字どおりオープンになっている。オープンスペース２は図１、図２に示すように建物１のフロアの中央部に配置されており、医師、看護師、作業療法士、事務クラーク、心理士等、各職種の専門スタッフが待機するための設備３、例えば、カウンター、作業用、受付け用のテーブル、椅子、パーテーション、時計、ごみ箱等が設置されており、それらの外側に患者や専門スタッフが通行可能であり、車椅子、移動ベッド等が通行可能な広さの空間が確保されている。
【００１３】
オープンスペース２はその外側の二本の廊下４に通じており、廊下４はその外側で建物１の窓側に配置された多数の病室５に通じている。病室５は外側が建物１の外面に、内側が廊下４に面している。オープンスペース２の左右両側であって廊下４の内側に、診察、治療、相談、食事、衛生管理、入浴、会議といった各種目的、用途に応じた設備室が廊下４に面して設けられている。
【００１４】
建物１は図１に示すように平面長方形であってその外周面に窓７が多数設けられている。建物１の形状は図に示す形状の他に円形、楕円形、三角形、六角形、八角形等の任意の形状とすることができる。オープンスペース２の形状は建物１の形状に制約されるが、図３に示す矩形に限られず円形、楕円形、星形といった任意の平面形状とすることができる。
【００１５】
オープンスペース２における受け付け用テーブル、作業用テーブル、椅子といった各種設備の形状、構造、数、それらの配置（レイアウト）等は専門スタッフが待機や作業をし易いようにしてある。椅子は待機する専門スタッフや相談する患者の人数分備えられている。図２に示すものは、柱時計１０の下部に、椅子１１、作業テーブル１２が設置され、その周囲に受付テーブル１３が設置されている。オープンスペース２には仕切りは設けられていない。オープンスペース２は図１、図３に示すように、患者、患者の家族、専門スタッフ等が座って話をしたり休んだりする空間であり、そこには図３に示すようにソファ１４が配置されている。
【００１６】
図４に示すオープンスペース２は柱時計１０の周囲に椅子１１、作業テーブル１２が配置され、作業テーブル１２の周囲にパーテーション１５が設置されている。パーテーション１５には丸テーブル１６が取り付けられている。パーテーション１５は作業テーブル１２の仕切りとして用いられており、オープンスペース２やその周囲の空間を仕切るためのものではない。図３に示すオープンスペース２にもソファ１４が配置されている。
【００１７】
図５のオープンスペース２は柱時計１０から離れた二箇所に作業テーブル１２及び椅子１１が設置されている。柱時計１０の周囲下部には患者や専門スタッフが座って会話等をすることができるソファ１４が配置されている。また柱時計１０から離れた二箇所にもソファ１４が設置されている。
【００１８】
廊下４は図１に示すようにオープンスペース２の窓側寄りに建物の長手方向に沿って二本設けられた長廊下１７と、建物１の長手方向両端寄りに一本ずつ設けられて前記二本の長廊下１７を連結する連結廊下１８が設けられている。長廊下１７、連結廊下１８の配置も建物の構造によって制約されるため、図１に示すものに限られず他の任意の配置とすることもできる。
【００１９】
病室５は図２に示すように長廊下１７の外側で建物の窓側に、建物１外面に面して多数設けられている。病室５は全てベッド２０を一床ずつ備える個室であっても、多床室であってもよい。病室５は建物１の外面に面した窓７、トイレ２１、キッチン２２等の設備を備えている。また、各病室５にはインターネットを利用できるＩＴ環境も整備されている。
【００２０】
設備室は図１に示すようにオープンスペース２の左右両側であって、廊下４の内側に廊下４に面して配置されている。病棟設備は処置室２３、診察室２４、図書室２５、浴室２６、多目的室２７、会議室２８、厨房２９、リネン室３０、相談・面会室３１、食堂３２、ティーラウンジ３３、職員食堂３４、調剤室３５、薬品室３６、トイレ３７、倉庫３８、喫煙コーナー３９、汚物処理室４０、スタッフ用休憩室４９といった各種用途、目的に応じた設備である。設備室にはこの他にも、エステ室、カウンセリング室、瞑想室、芸術鑑賞室、厨房事務室、洗濯室、乾燥室、トレーニング室、集団療法室等、任意の設備を備えることができる。これらの各室は仕切りで廊下から区画され、夫々の室も仕切りで互いに区画されている。
【００２１】
この他にも、本実施形態の病棟施設には、階段４１、エレベーター４２、吹抜４３等の、通常の建物に設置されている設備や機器も設置されている。
【００２２】
（実施形態２）
本発明の病棟施設の実施形態の他の例を図６に基づいて説明する。図６に示す病棟施設は図１の場合と同じ建物１の別のフロアである。図６に示す病棟施設の基本的構成は実施形態１の病棟施設と共通する。本実施形態では、図７に示すように各病室５を図１に示すものより広くして夫々の病室５内にユニットバス４４を設けてある。また、図６では実施形態１の病棟施設と同様に処置室２３、診察室２４、図書室２５等を備える他に、相談室兼カウンセリング室４５、内観室兼カウンセリング室４６、瞑想室４７、エステ室４８、スタッフ用休憩室４９、芸術鑑賞室５０、厨房事務室５１、洗濯・乾燥室５２、談話コーナー５３を設けてある。
【００２３】
（実施形態３）
本発明の病棟施設の実施形態の他の例を図８に基づいて説明する。図８に示す病棟施設も図１の場合と同じ建物１の別のフロアである。図８に示す病棟施設の基本的構成は実施形態１の病棟施設と共通する。本実施形態では、図９に示すように各病室５を図７に示すものより更に広くして、各病室５にユニットバス４４とトイレ２１を別々に設けてある。また、図８ではフロアにトレーニング室兼集団療法室５４をも設けてある。
【産業上の利用可能性】
【００２４】
本発明の病棟施設は病院に限られず、介護施設や老人ホーム等、スタッフと入所者との間に信頼関係が築かれ、入所者が安心して入所できることが求められる施設にも応用することができる。
【図面の簡単な説明】
【００２５】
【図１】本発明の病棟施設の実施形態の一例を示す平面図。
【図２】図１に示す病棟施設の病室を示す拡大平面図。
【図３】本発明の病棟施設のカウンター及び共用空間の一例を示す斜視図。
【図４】本発明の病棟施設のカウンター及び共用空間の他の一例を示す斜視図。
【図５】本発明の病棟施設のカウンター及び共用空間のその他の例を示す斜視図。
【図６】本発明の病棟施設の他の一例を示す平面図。
【図７】図５に示す病棟施設の病室を示す拡大平面図。
【図８】本発明の病棟施設の他の一例を示す平面図。
【図９】図８に示す病棟施設の病室を示す拡大平面図。
【符号の説明】
【００２６】
１  建物
２  オープンスペース
３  （スタッフ待機用の）設備
４  廊下
５  病室
７  窓
１０  柱時計
１１  椅子
１２  作業テーブル
１３  受付テーブル
１４  ソファ
１７  長廊下
１８  連結廊下
２０  ベッド
２１  トイレ
２２  キッチン
２３  処置室
２４  診察室
２５  図書室
４４  ユニットバス
【図１】
2006283532.tif 000003
【図２】
2006283532.tif 000004
【図３】
2006283532.tif 000005
【図４】
2006283532.tif 000006
【図５】
2006283532.tif 000007
【図６】
2006283532.tif 000008
【図７】
2006283532.tif 000009
【図８】
2006283532.tif 000010
【図９】
2006283532.tif 000011